(57)【特許請求の範囲】
【請求項１】
浮力調整用エアを導入可能なジャケットと、前記エア供給用シリンダを固定可能に形成され前記ジャケットの背部内面に取り付けられて前記ジャケットの上下方向ヘ延びるバックプレートと、前記ジャケットの肩部から下方ヘ延びる長さ調節可能なショルダーベルトと、前記ジャケットの胴周り方向ヘ延びる長さ調節可能なウエストベルトとを有するダイビング用ジャケットにおいて、
前記ウエストベルトは、前記ダイビング用ジャケット着用者の腹部両サイドそれぞれに位置して胴周り方向へ延びる一対のベルト部材を有し、前記ベルト部材それぞれが前記胴周り方向前方で他方の前記ベルト部材に離脱可能に連結する前端部と、前記前端部の反対端部である後端部とを有し、前記後端部が該後端部と前記バックプレートとの間に介在し前記ベルト部材よりも硬質の材料からなる連結板を介して前記バックプレートに取り付けられ、前記ショルダーベルトは、その下端部が前記連結板に取り付けられており、前記連結板は、前記胴周りの内外方向へ屈曲できるように前記胴周り方向の少なくとも一部分が該連結板の上下方向全体にわたって特に高い可撓性を有していることを特徴とする前記ダイビング用ジャケット。
【請求項２】
前記連結板は、前記ジャケットの胴周り方向において前後に二分されるとともに可撓性を有する非伸縮性のシート材料を介して連結されることによって、前記胴周りの内外方向へ屈曲できるように形成されている請求項１記載のジャケット。
【請求項３】
前記連結板は、前記胴周り方向の一部分に上下方向ヘ延びる特に厚さの薄い部分を有することによって、前記胴周り内外方向へ屈曲できるように形成されている請求項１記載のジャケット。
【請求項４】
前記連結板には、胴周り方向の少なくとも２箇所に前記ショルダーベルト取り付け用の透孔が形成されている請求項１または２記載のジャケット。
【発明の詳細な説明】
【０００１】
【発明の属する技術分野】
この発明は、浮力調整機能を有するダイビング用ジャケットに関する。
【０００２】
【従来の技術】
この種のダイビング用ジャケットである特開平５−１１２２９１号公報に開示の潜水用浮力調整器は、着用者の背面を覆う浮力調整袋にショルダーベルトとウエストベルトとが取り付けられている。ショルダーベルトは、浮力調整袋の肩部から下方へ延びてウエストベルトに取り付けられ、中間部分に長さを調節するためのバックルを有する。ウエストベルトは、着用者の腹部両サイドのそれぞれに位置して胴周り方向へ延びる一対のベルト部材を有し、これらベルト部材は、その一端部が浮力調整袋の背部に位置するバックプレートに複数のボルトを介して取り付けられている。
【０００３】
【発明が解決しようとする課題】
前記公知浮力調整器のショルダーベルトは、長さを調節するときに強い張力が作用すると、その張力が通常は布で作られていて可撓性を有するベルト部材に及び、このベルト部材が部分的にずり上がるように変形することによって背中のエアシリンダが動き、ダイバーは自分の身体の重心が定まらず、身体を安定させることが難しくなる。
【０００４】
この発明は、このようなダイビング用ジャケットの改良に係り、着用したジャケットでショルダーベルトの長さを調整しても、その調整によって背負ったシリンダが背中で徒に動くことがないようにすることを課題にしている。
【０００５】
【課題を解決するための手段】
前記課題解決のために、この発明が対象とするのは、浮力調整用エアを導入可能なジャケットと、前記エア供給用シリンダを固定可能に形成され前記ジャケットの背部内面に取り付けられて前記ジャケットの上下方向ヘ延びるバックプレートと、前記ジャケットの肩部から下方ヘ延びる長さ調節可能なショルダーベルトと、前記ジャケットの胴周り方向ヘ延びる長さ調節可能なウエストベルトとを有するダイビング用ジャケットである。
【０００６】
かかるダイビング用ジャケットにおいて、この発明が特徴とするところは、次のとおりである。前記ウエストベルトは、前記ダイビング用ジャケット着用者の腹部両サイドそれぞれに位置して胴周り方向へ延びる一対のベルト部材を有する。前記ベルト部材それぞれは、前記胴周り方向前方で他方の前記ベルト部材に離脱可能に連結する前端部と、前記前端部の反対端部である後端部とを有し、前記後端部が該後端部と前記バックプレートとの間に介在し前記ベルト部材よりも硬質の材料からなる連結板を介して前記バックプレートに取り付けられている。前記ショルダーベルトは、その下端部が前記連結板に取り付けられている。前記連結板は、前記胴周りの内外方向へ屈曲できるように前記胴周り方向の少なくとも一部分が該連結板の上下方向全体にわたって特に高い可撓性を有している。
【０００７】
【発明の実施の形態】
添付の図面を参照して、この発明に係るダイビング用ジャケットの詳細を説明すると、以下のとおりである。
【０００８】
図１，２は、ダイビング用ジャケット１の部分破断正面図と背面斜視図とであって、ジャケット１に取り付けられたエアシリンダ５が仮想線で示されている。
【０００９】
ジャケット１は、浮力調整用エアを導入可能なもので、それぞれが長さ調節可能に作られたショルダーベルト６とウエストベルト７とを有し、背部にはエアシリンダ５に巻き付けるためのシリンダバンド２を有する。シリンダバンド２は、ジャケット１の背部において外側から内側へ入り、再び外側へ出るように延びており、バックル１４を介して両端部が長さ調節可能に連結されている。ジャケット１は、背部内側に上下方向ヘ延びるバックプレート２２を有し、外側に同じように上下方向ヘ延びる一対の板部材２３を有する。板部材２３は、ジャケット１を挟むように、ボルト２６によって、バックプレート２２の側縁部に取り付けられている。エアシリンダ５は、一対の板部材２３の間に位置させ、バンド２を締めることによってバックプレート２２に対して固定される。エアシリンダ５の頂部にはファーストステージ８が取り付けられ、ファーストステージ８から延びるレギュレータホース９がセカンドステージ１１にまで延びている。セカンドステージ１１からはインフレーションホース１２がジャケット１の背部へ延びており、ジャケット１へエアを導入することができる。セカンドステージ１１には、マウスピース１３が取り付けられている。
【００１０】
バックプレート２２は、硬質プラスチック材料等によって使用上実質的に変形することがないように作られ、その内面に重ねられたクッションパッド４を介してジャケット１着用者の背中に当接する。バックプレート２２の下端部分両側には、ジャケット１の胴周り方向ヘ延びる一対の連結板３１が取り付けられている。
【００１１】
ウエストベルト７は、ジャケット１着用者の腹部右サイドにあって胴周り方向ヘ延びる可撓性で変形容易な第１ベルト部材３２と、腹部左サイドにあって胴周り方向ヘ延びる可撓性で変形容易な第２ベルト部材３３とを有し、これら両部材３２，３３の胴周り方向前端部４５には、互いに離脱可能に嵌合する雌雄一対のファスナ３０ａ，３０ｂと商品名マジックテープで知られる互いに離脱可能に止着する一対の面状ファスナ３０ｃ，３０ｄとが取り付けられている。また、これら両部材３２，３３の胴周り方向後端部４６は、連結板３１を介してバックプレート２２に取り付けられている。
【００１２】
ショルダーベルト６は、その上端部３５がボルト３５ａを介してバックプレート２２の上端部に取り付けられ、ジャケット１の肩部から下方ヘのびる下端部３４が連結板３１の上方部分に取り付けられている。上端部３５と下端部３４とは、ベルト６の長さを調節可能な雌雄一対のファスナ４０ａ，４０ｂを介して互いに離脱可能に連結している。下端部３４は、その中間に位置するＤ−リング４５を介して上下に二分され、そのＤ−リング４５からはジャケット１の前身頃６１を内側から支える長さ調節可能な支持ベルト６２が延びている。
【００１３】
図３は、ジャケット１内面の要部を示す図面である。但し、このジャケット１では、シリンダーバンド２とクッションパッド４とが外されている。バックプレート２２は、その上方部分にシリンダーバンド２を挿通するための上下に長い複数の透孔３６を有し、下方部分の両側に連結板３１が取り付けられている。連結板３１は、胴周り方向の後方部分３７においてバックプレート２２に固定され、前方部分３８には胴周り方向ヘ延びる第１ベルト部材３２または第２ベルト部材３３を取り付けるための上下に長い互いに平行な第１挿通孔４１と第２挿通孔４２に加え、ショルダーベルト６の下端部３４を取り付けるための、互いに異なる角度で傾斜した第３挿通孔４３と第４挿通孔４４とが形成されている。連結板３１の胴周り方向中間部分３９では後方部分３７と前方部分３８とが胴周り方向と、これに直交する上下方向とに実質的に伸張することのない織布やプラスチックシート等の可撓性シート３９ａによってつながれている。かかる連結板３１はベルト部材３２のように容易に変形することがないようにＡＢＳ、ポリプロピレン、ナイロン樹脂、硬質合成ゴム等の硬質材料で形成された板状のものであるが、この中間部分３９においては連結板３１の前方部分３８と後方部分３７とがジャケット１着用者の胴周り大きさに応じてその胴周りの内方および外方へ向かって容易に屈曲する。中間部分３９が織布によって形成される場合には、その織布を糸６８による縫合によって連結板３１の前方部分３８と後方部分３７とに取り付けることができる。可撓性シート３９ａは、溶着や機械的な手段によって前方部分３８や後方部分３７に取り付けることもできる。第１、２ベルト部材３２，３３は、それらの後端部４６を胴周り内側から連結板３１の第２挿通孔４２に挿通した後に胴周り前方へ向かって折り返し、さらに第１挿通孔４１へ通すことによって、それぞれの連結板３１に対して長さ調節可能に固定される。ショルダーベルト６は、その下端部３４にベルト６の幅よりも大きな長径を有する長円形のストッパー部材４７を有し、このストッパー部材４７をその長径方向から連結板３１の第３挿通孔４３または第４挿通孔４４に挿入することで、連結板３１に対して抜けることがないように取り付けられる。第３挿通孔４３と第４挿通孔４４とは、ジャケット１着用者の身体の大きさに対応するように選択される。
【００１４】
図４は、図３のＩＶ−ＩＶ線矢視図である。連結板３１は、上下方向において互いに平行に並ぶ二条の蟻ほぞ５１を有し、バックプレート２２は、この蟻ほぞ５１が胴周り方向前方からスライドして離脱可能に嵌合する４条の蟻溝５２を有する。蟻溝５２もまた上下方向において互いに平行に並んでいる。
【００１５】
図５は、図３のＶ−Ｖ線矢視図である。連結板３１は、図の上下方向へ弾性的に変形可能なストッパープレート部５３を有し、バックプレート２２は、凹部５４を有する。プレート部５３は、その先端部分５６が凹部５４に納まり、連結板３１がバックプレート２２から離脱するように矢印５７（図３を併せて参照）で示される胴周り方向前方ヘ動こうとすると、先端部分５６が凹部５４の側壁部５８に衝接して、その離脱を防止する。ただし、ドライバー等の工具を使用して、凹部５４の側壁部５８を乗り越えることができるようにプレート部５３を弾性的に変形させれば、連結板３１はバックプレート２２から離脱可能になる。
【００１６】
図６は、バックプレート２２と、バックプレート２２から離脱している連結板３１との平面図である。バックプレート２２に形成された蟻溝５２は、上下方向へ等間隔で並び、蟻溝５２と５２との間に凹部５４が形成されている。バックプレート２２の側縁近傍には、蟻溝５２につながる幅広い案内溝５９が形成されている。連結板３１の後方部分３７に形成された２条の蟻ほぞ５１は、胴周り前方から後方へ向かう矢印６１方向から、ジャケット１の２条の蟻溝５２へ挿入される。図示例の連結板３１において、上下に離間した２条の蟻ほぞ５１は、一つおきに選択された２条の蟻溝５２に対して挿入できるように配置されている。蟻ほぞ５１を蟻溝５２へ挿入するときには、連結板３１のストッパープレート５６が、バックプレート２２における凹部５４の側壁部５８に胴周り方向前方から接触して、これを乗り越えるように弾性変形した後に凹部５４に納まる。かような連結板３１と、それに取り付けられたベルト部材３２とは、蟻溝５２の選択によって、ジャケット１における上下方向の位置を調整することができる。
【００１７】
このように形成されたジャケット１では、硬質材料からなり、ヒンジ部３９においてのみ胴周りの内外方向へ容易に変形する連結板３１に対してショルダーベルト６の下端部３４を取り付けることによって、ショルダーベルト６の上下両端部３４，３５は容易に変形することのないバックプレート２２と連結板３１とによって支えられることになる。こうしたジャケット１を着用した後にショルダーベルト６を強く締めるようにベルト６の長さを調整すると、ベルト６に作用する張力は、その張力の作用する方向において容易に変形することのないバックプレート２２と連結板３１とに支えられてウエストベルト７に及ばないから、ウエストベルト７は上下へ動くことがない。それゆえ、背負ったエアシリンダ５は、ウエストベルト７を締めてその位置を定めれば、ショルダーベルト６のその後の長さ調整によって上下方向の位置が徒に変化するということがなく、遊泳者の重心が安定する。
【００１８】
また、連結板３１は、バックプレート２２に対して胴周り方向ヘスライドさせるだけで着脱することができるから、ジャケット１の上下方向におけるウエストベルト７の位置調整が容易になる。このようなジャケット１は、例えば不特定多数のダイバーが利用するレンタル用のものとして使用されたときに、その効果が顕著になる。
【００１９】
図７，８は、この発明において使用される連結板３１の他の一例を示す平面図と、同図のＶＩＩＩ−ＶＩＩＩ線矢視図である。この連結板３１もまた、ＡＢＳやポリプロピレン、ナイロン、硬質合成ゴム等からなり、平板状の後方部分３７と前方部分３８とを有し、これら両部分３７，３８の中間部分３９には一条または複数条のＵ字形の溝６２が形成されている。連結板３１は、胴周り方向へ伸長したり上下方向へ変形したりすることはないが、溝６２の底部が両部分３７，３８よりも薄肉に作られているので、図３の中間部分３９と同様な作用を有し、例えば仮想線で示されるように前方部分３８が胴周りの内方へ容易に屈曲する。
【００２０】
この発明では、バックプレート２２に蟻ほぞ５１を形成し、連結板３１に蟻溝５２を形成することもできる。このときには、蟻ほぞ５１の条数を蟻溝５２のそれよりも多くする。
【００２１】
【発明の効果】
この発明に係るダイビング用ジャケットは、バックプレートとベルト部材との間に、バックプレートから胴周り方向へ延び、硬質材料で形成されて容易に変形することのない連結板を介在させ、ジャケットの肩部から延びるショルダーベルトの下端部をこの連結板に取り付けたから、着用したジャケットでショルダーベルトの長さを調整しても、背負ったエアシリンダは上下方向へずれ動くことがなく、ジャケット着用者の重心が安定する。
【図面の簡単な説明】
【図１】ダイビング用ジャケットの部分破断正面図。
【図２】ダイビング用ジャケットの背面斜視図。
【図３】ダイビング用ジャケットの要部正面図。
【図４】図３のＩＶ−ＩＶ線切断面を示す図。
【図５】図３のＶ−Ｖ線切断面を示す図。
【図６】バックプレートと連結板の平面図。
【図７】連結板の一例を示す平面図。
【図８】図７のＶＩＩＩ−ＶＩＩＩ線矢視図。
【符号の説明】
１      ダイビング用ジャケット
６      ショルダーベルト
７      ウエストベルト
２２      バックプレート
３１      連結板
３２      ベルト部材
３３      ベルト部材
３９      ヒンジ部
４３      透孔
４４      透孔
４５      前端部
４６      後端部
【図１】
0003926566.tif 000002
【図２】
0003926566.tif 000003
【図３】
0003926566.tif 000004
【図４】
0003926566.tif 000005
【図５】
0003926566.tif 000006
【図６】
0003926566.tif 000007
【図７】
0003926566.tif 000008
【図８】
0003926566.tif 000009